(57)【要約】【課題】建物の内装と違和感が無く、壁や柱の出隅の破損を容易に補修、保護を可能なコーナー部材を提供する。【解決手段】平板の中央が直角に屈曲される、Ｌ型のコーナー部材は本体が金属、樹脂、木材から作製され、このコーナー部材の内面壁に粘着剤が設けられたもので、コーナー部材は選択可能な樹脂フイルムで表装されているので内装の意匠性を損ねない。またコーナー部材の内面壁に柔軟両面テープが設けられているので、施工が容易である。【選択図】 図１
2012036662.tif 000002
【特許請求の範囲】
【請求項１】
平板の中央が直角に屈曲されたＬ型のコーナー部材で、本体表層面はデザイン性を施した樹脂フイルム、紙又は布から選ばれたものであって、このコーナー部材の内面に粘着剤付の柔軟両面テープを貼着させていることを特徴とする即着壁面角用コーナー。
【請求項２】
Ｌ型のコーナー部材は、本体が金属、樹脂、木材であって、厚さ１ｍｍ〜２０ｍｍ、幅１５ｍｍ〜１５０ｍｍ、コーナー角度を６０°〜１２０°であることを特徴とする請求項１記載の即着壁面角用コーナー。
【請求項３】
外部表面のデザイン性を施した樹脂フイルム、紙又は布は、取り付け壁、柱の意匠性を損なうことがないために、内装意匠に合わせて種々に模様、及び色彩を選択可能にして、フイルムの厚さ０．０５ｍｍ〜１ｍｍであることを特徴とする請求項１又は請求項２に記載の即着壁面角用コーナー。
【請求項４】
内面の粘着剤付の柔軟両面テープは、取り付け壁、柱の凹凸をもつ面にも接着可能にするために、粘着剤として、アクリル系粘着剤からなる柔軟性の両面テープで、厚さを０．１ｍｍ〜２ｍｍであって、片面の幅をＬ型の片面の幅以内にしていることを特徴する請求項１〜請求項３のいずれかに記載の即着壁面角用コーナー。
【請求項５】
Ｌ型コーナー部材は、適度な硬度を持っているので内装璧の角の補修、保護を可能にしている、本体を金属、木材、塩化ビニール樹脂、アクリル樹脂、ポリオレイン樹脂から選ばれていることを特徴とする請求項１〜請求項４のいずれかに記載の即着壁面角用コーナー。
【請求項６】
Ｌ型コーナー部材は、取り付け壁、柱に装着したときにコーナーにおいて、違和感、安全性のために、Ｌ型の頂点、および両端の角にＲ加工を行っていることを特徴とする請求項１〜請求項５のいずれかに記載の即着壁面角用コーナー。
【発明の詳細な説明】
【技術分野】
【０００１】
本発明は、病院、宿泊施設或いは家庭内の内装における意匠性を重要視する空間で、建物の内装壁面や柱の出隅に貼着し、意匠性を妨げることなく壁面補修と壁面保護をするためのコーナー部材に関するものである。
【背景技術】
【０００２】
従来、建物内装壁面や柱の出角は器具や物が繰り返し衝突し、破損することが多い。病院、宿泊施設或いは家庭内の内装における意匠性を重要視する空間では、意匠性を損なうことのない、補修や保護に有効な材料や施工方法が無かった。従来のアルミ製アングル、樹脂性アングルは意匠性が乏しく単一の色、単一の形であり選択できるものでは無かったのでそれらを使用すると意匠性を著しく損ねた。
【０００３】
建物のコーナー部材としては、建物の壁や柱ではなく衝突する側の人体や器物の保護のために提案されている。
高齢者、障害者の為のコーナー用緩衝材を提供するもので、コーナー 表面を布地で被覆した２枚の側板と、２枚の側板間にＶ字状溝が形成された合成樹脂発泡体製のコーナー用緩衝材を建物のコーナーガードにして、出隅部分を弾性のある保護する部材によって、ぶつかる人や物を保護するものを提案されている（特許文献１参照）。
【０００４】
また建物の内装と違和感が無く、出隅角度が９０度以外の時にも容易に対応することができるコーナーガードを提供して、平板の中央が直角に屈曲されるとともに、屈曲部の内面側に全長に亘って凹溝が形成されたＬ型のコーナーガード部材が透明エラストマーから作製されたものが提案されている（特許文献２参照）。
【０００５】
建物の内装壁面の出隅又は入隅のコーナー角部の下端部で内装壁面と床面との取り合い部の構造において、仕上がり性と強度耐久性に優れ、コーナー部材と巾木との間に隙間や段差が生じることなく、施工仕上がり性等の品質安定性に優れた巾木取付構造を提供されている（特許文献３参照）。
【０００６】
住宅などの建築物の内壁を取付ける場合に、角柱の外周を覆うための曲がり加工に手数がかからず工期の短縮が可能な内装用コーナーパネルで、断面が直角なＬ型型で複層をなし、内層を木製としたものであって、このコーナーパネルの内面には隣接するコーナーパネルの内面に跨がって接続する当て板を固着したものが提案されている（特許文献４、５参照）。
【先行技術文献】
【特許文献】
【０００７】
【特許文献１】特開２００１−１４６８０１号公報
【特許文献２】特開２００７−２５０７号公報
【特許文献３】特開２００９−２８１０５２号公報
【特許文献４】特開平０７−２５２９１０号公報
【特許文献５】特開平０８−０４９３９０号公報
【発明の概要】
【発明が解決しようとする課題】
【０００８】
意匠性を重要視する建物の内装壁面の角コーナーで、医療施設や高齢者施設、住居などのストレッチャー、車椅子などの医療機器や人体などで繰り返し破損する箇所の補修、保護は容易ではなかった。また、意匠性を損ねることが無く、容易に補修、保護が可能であることが望まれていた。
【０００９】
そこで本発明者は従来の欠点に鑑み鋭意研究の結果、建物の内装と違和感が無く、出隅角に容易に対応することができる補修、保護コーナーを提供する。
【課題を解決するための手段】
【００１０】
平板の中央が直角に屈曲されたＬ型のコーナー部材で、本体表層面はデザイン性を施した樹脂フイルム、紙又は布から選ばれたものであって、このコーナー部材の内面に粘着剤付の柔軟両面テープを貼着させている即着壁面角用コーナーである。
【００１１】
Ｌ型のコーナー部材は、本体を金属、樹脂、木材であって、厚さ１ｍｍ〜２０ｍｍ、幅１５ｍｍ〜１５０ｍｍ、コーナー角度を６０°〜１２０°である。好ましくは、厚さ２ｍｍ〜３ｍｍ、幅１８ｍｍ〜２５ｍｍであり、コーナー角度８０°〜１００°である。
【００１２】
外部表面のデザイン性を施した樹脂フイルム、紙又は布は、取り付け壁、柱の意匠性を損なうことがないために、内装意匠に合わせて種々に模様、及び色彩を選択可能にして、フイルムの厚さ０．０５ｍｍ〜１ｍｍである。好ましくは、樹脂フイルムで、０．１ｍｍ〜０．５ｍｍ程度である。
【００１３】
内面の粘着剤付の柔軟両面テープは、取り付け壁、柱の凹凸をもつ面にも接着可能にするために、粘着剤として、アクリル系粘着剤からなる柔軟性の両面テープで、厚さを０．１ｍｍ〜２ｍｍであって、片面の幅をＬ型の片面の幅以内にしている。好ましくは、０．５〜１．５ｍｍの柔軟性を持ったものである。
【００１４】
Ｌ型コーナー部材は、適度な硬度を持っているので内装璧の角の補修、保護を可能にしている、塩化ビニール樹脂、アクリル樹脂、ポリオレイン樹脂から選ばれている。
Ｌ型コーナー部材は、取り付け壁、柱に装着したときにコーナーにおいて、違和感、安全性のために、Ｌ型の頂点、および両端の角にＲ加工を行っている即着壁面角用コーナーである。
【発明の効果】
【００１５】
本発明のコーナー部材は、平板の中央が直角に屈曲されたＬ型のコーナー部材が金属、樹脂、木材から作製され、このコーナー部材の内面壁に粘着剤付き柔軟両面テープが設けられたもので、表層には、選択可能な樹脂フイルム、紙、布などが貼られて容易に貼着することができるし、コーナーが目立たず、建物の内装との違和感がない。
【００１６】
両面テープは粘着剤としてアクリル系粘着剤からなり、速乾性であって、貼着には短時間で可能である。また基材無し柔軟両面テープを用いられていて、コーナー部材の形状や大きさ、長さは自由にできる。
【００１７】
平板の中央が直角に屈曲されたＬ型のコーナー部材が、樹脂などから作製され、このコーナー部材の内面壁に粘着剤が設けられたもので、粘着材は柔軟両面テープで形成されているので凹凸のある箇所にも容易に貼着することができる。
【図面の簡単な説明】
【００１８】
【図１】本発明の即着壁面角用コーナー姿図である。Ａ：上面図    Ｂ：内面図
【図２】本発明即着壁面角用コーナーの断面図である。
【図３】本発明の即着壁面角用コーナー取付姿図である。
【図４】本発明即着壁面角用コーナーの実施形態を示す取付断面図である。
【発明を実施するための形態】
【００１９】
以下、図面を参照しながら本発明に付いて説明する。
図１は本発明コーナーの実施形態の例を示すコーナー部材の姿図である。図に於いて、コーナー部材は、２辺が略等長のＬ型形に形成されている。
【００２０】
コーナー部材３は、アクリル樹脂から作製され、壁、柱などの建物の出隅に貼着されたとき、コーナー表装材２である樹脂フイルムが内装意匠に合わせて選択可能なので壁や柱の表面の違和感が無く外観が好適である。又、コーナーガード部材は適度な硬度を持つアクリル樹脂から作製されているので、補修、保護に最適である。
【００２１】
コーナー部材３の内面には、アクリル系粘着剤からなる基材無し柔軟両面テープ４が粘着剤として設けられ、壁、柱などの建物の出隅に貼着されて、粘着材は柔軟両面テープで形成されているので凹凸のある箇所にも容易に貼着することができる。
【００２２】
Ｌ型コーナー部材は、取り付け壁、柱に装着したときにコーナーにおいて、違和感無く見えるようにまた、安全性のために、ａ部分のＬ型の頂点、および両端の角にＲ加工を行っている
【実施例１】
【００２３】
主に医療施設の内装壁でストレッチャーや車椅子などの医療機器が衝突する箇所が日常化されていて繰り返し当該箇所の補修や保護策を模索していた。意匠性のうえでも違和感が無く、しかも容易に補修、保護できるものとして考えたのが本発明である。
【００２４】
意匠性の高い内装の医療施設において実施使用した。塩化ビニール製の本体はＬ型に成型しており１辺の長さを両辺ともそれぞれ２０ｍｍ、厚さを３ｍｍとした。意匠性を損なわないように壁紙と極めて似ている模様と色の、厚さ０．２ｍｍの樹脂フイルムを選び、それで表装したものを柔軟両面テープで粘着したところ、ストレッチャーにて傷があった出隅の壁をまことに違和感無く補修、保護が容易に出来た。
【実施例２】
【００２５】
主に医療施設や住居など意匠性の高い内装で、塩化ビニール製の本体をＬ型に成型し１辺の幅を両辺ともそれぞれ25ｍｍ、厚さを2.5ｍｍにした。出隅の壁の傷の補修と保護が目的であったが部分補修は目立つし、かといって壁を広範囲に補修するのはコスト的にも困難である。そこで本発明を内装壁の仕上げ材と同じ壁紙（厚さ０．３ｍｍ）で表装し柔軟両面テープで角コーナーに粘着したところ、容易に違和感無く補修、保護が出来た。
【実施例３】
【００２６】
意匠性の高い和風内装の壁の出隅において傷の補修や保護には、本来木工事と塗装工事で補修することが多く時間やコストがかかる。そこで木製のＬ型コーナーを製作し辺の長さを両辺ともそれぞれ100ｍｍ、厚さを10ｍｍとした本体に、内装意匠に合った木質模様の樹脂フイルム（厚さ０．１ｍｍ）を選び表装し柔軟両面テープで角コーナーに粘着したところ、容易に違和感無く補修、保護が出来た。
【実施例４】
【００２７】
実施例1において補修保護箇所が直角（90°）でなく120°の角度の時、塩化ビニール製のＬ型コーナー本体をその角度にあわせ120°で製作し１辺の幅を両辺ともそれぞれ３０ｍｍ、厚さ３ｍｍとした。内装壁の仕上げが大理石風の仕上げになっており、樹脂フイルムを内装意匠にあわせ色および質感も大理石風の模様を選択し、表装して柔軟両面テープで粘着したところ内装に違和感無く補修、保護が容易に出来た。
【実施例５】
【００２８】
Ｌ型コーナー本体を意匠にあわせ木質の質感が求められた時、塩化ビニール製のＬ型コーナー本体の幅をそれぞれ２５ｍｍ、７０ｍｍとし、厚みを１０ｍｍで製作して木質の意匠の樹脂フイルム（厚さ０．１ｍｍ）で表装し柔軟両面テープで粘着したところ違和感無く、むしろ意匠性を向上させる補修、保護ができた。
【符号の説明】
【００２９】
１   Ｌ型のコーナー
２   デザイン性表層部材
３   本体コーナーガード部材
４   粘着剤付き柔軟両面テープ
５   既存壁・柱
６   床
７   天井
ａ   Ｒ加工箇所
【図１】
2012036662.tif 000003
【図２】
2012036662.tif 000004
【図３】
2012036662.tif 000005
【図４】
2012036662.tif 000006